(57)【要約】【課題】ＣＡＴＶ放送システムＰｓｙｓにおいて、上り回線に混入する流合雑音の混入元となるＧＳＷ（Ｇａｔｅ　ＳＷｉｔｃｈ）を特定するのは大変な時間がかかるため、特定する前に雑音が無くなり混入元の発見が困難である。加えて時々発生する雑音については、待機し短時間に混入元の発見をする必要がある。【解決手段】ＧＳＷを切替ながら流合雑音の有無を自動的に判断しながら、遮断したときに流合雑音が無くなるＧＳＷを見つける毎に、結果を表示および記録することで、流合雑音の混入元を特定することができる検査システムを提供する。【選択図】　　　　図１
2004072477.tif 000002
【特許請求の範囲】
【請求項１】
上り帯域の通過および遮断を制御可能なＧＳＷを有する中継増幅器の接続から成るＣＡＴＶ伝送路網と、
前記ＣＡＴＶ伝送路網を切り替える伝送路網切替器と、
前記伝送路網切替器からの信号出力を検知する信号状態検知部と、
前記信号状態検知部の検知した信号状態から流合雑音の有無を判断する流合雑音判断部と、
前記流合雑音判断部の判断結果を出力する表示制御部と、
前記ＧＳＷを有するＣＡＴＶ伝送路網と伝送路網切替器の通過遮断制御部を有する制御装置とから成る流合雑音検知システム。
【請求項２】
前記ＣＡＴＶ伝送路網は、幹線上に設けられた幹線ＧＳＷと分岐上に設けられた分岐ＧＳＷとを有する中継増幅器とＣＡＴＶ伝送路網の上り帯域接続切替機能を有する伝送路切替器を含むことを特徴とする請求項１記載の流合雑音検知システム。
【請求項３】
前記制御装置は、前記ＣＡＴＶ伝送路網毎に、当該伝送路網を構成する中継増幅器のＧＳＷ同士の連結情報を記録したＧＳＷリストをさらに有し、前記上り帯域の通過遮断制御部は、前記ＧＳＷリストの情報に従って前記ＧＳＷの上り帯域の通過遮断を制御することを特徴とする請求項１または２記載の流合雑音検知システム。
【請求項４】
前記表示制御部は、上り帯域の通過遮断制御部がＧＳＷを遮断状態にしたときに、流合雑音判断部が流合雑音無しと判断するＧＳＷが内臓されている中継増幅器の機器番号とＧＳＷ設置場所（幹線、分岐）を表示することを特徴とする請求項１から３のいずれかに記載の流合雑音検知システム。
【請求項５】
前記表示制御部は、前記流合雑音判断部が流合雑音無しと判断するＧＳＷが、幹線を遮断した場合は、直線に続いて当該ＧＳＷを表すマークを前記表示装置上に描き、分岐線を遮断した場合は、Ｌ字線に続いて、当該ＧＳＷを表すマークを前記表示装置上に描くことを特徴とする請求項４記載の流合雑音検知システム。
【発明の詳細な説明】
【０００１】
【発明の属する技術分野】
本発明は、ＣＡＴＶ施設における上り回線に混入す流合雑音を高速且つ効果的に検出する流合雑音検知システムに関する。
【０００２】
【従来の技術】
図１０に、従来のＣＡＴＶ（ケーブルテレビジョン放送）の全体システムの構成を示す。ＣＡＴＶ放送システムＣｓｙｓは、基本的にＣＡＴＶコンテンツ送信装置１０と、伝送路網接続器１１、およびＣＡＴＶ伝送路網群１２を含む。ＣＡＴＶ伝送路網群１２は、より小さな単位であるＣＡＴＶ伝送路網がｎ個（ｎは任意のの自然数）集まって構成されるものであって、同図においては、紙面の都合上、ＣＡＴＶ伝送路網群１２には、第１のＣＡＴＶ伝送路網１２＿１、第２のＣＡＴＶ伝送路網１２＿２、第３のＣＡＴＶ伝送路網１２＿３、第ｍのＣＡＴＶ伝送路網１２＿ｍ（３≦ｍ＜ｎの任意の自然数）、および第ｎのＣＡＴＶ伝送路網１２＿ｎのみが例示されている。
【０００３】
ＣＡＴＶコンテンツ送信装置１０からは、ＣＡＴＶ伝送路網群１２に対して映像信号を主体とするコンテンツ（以下、「ＣＡＴＶコンテンツ」）が配信される。つまり、伝送路網接続器１１は、通常ＣＡＴＶコンテンツ送信装置１０からのコンテンツ信号をＣＡＴＶ伝送路網群１２を構成するすべてのＣＡＴＶ伝送路網１２＿１〜１２＿ｎへ送信するように結線されている。しかしながら、伝送路網接続器１１は、結線されたｎ個のＣＡＴＶ伝送路網１２＿１〜１２＿ｎのいずれかを特定して、それの上り帯域を通過あるいは遮断するように制御することはできない。
【０００４】
図１１に、上述のＣＡＴＶ伝送路網群１２を構成する任意のＣＡＴＶ伝送路網１２＿ｍの構成の一例を示す。ＣＡＴＶ伝送路網１２＿ｍは、主に同軸ケーブル網と中継増幅器とから成る。同図において、直線は同軸ケーブルを表し、横向き三角形は中継増幅器を表している。同横向き三角形の中に示されている数字は、中継増幅器の個々を識別するための標識である。よって、個々の中継増幅器を識別する必要のある場合には、本明細書においては、標識を中継増幅器の接尾辞として附して記載する。なお、以降、本明細書においては、第ｍのＣＡＴＶ伝送路網１２＿ｍは、ＣＡＴＶ伝送路網群１２を構成するすべてのＣＡＴＶ伝送路網を総称的に表すものとする。つまり、この場合、ｍは１以上かつｎ以下の任意の自然数である。
【０００５】
なお、これらの中継増幅器の中には、ＣＡＴＶコンテンツ送信装置１０から幹線もしくは分岐線の終端方向へ信号を伝送（この方向を「下り方向」と呼ぶ。）するための増幅器と、終端方向から上り信号受信装置へ信号を伝送（この方向を「上り方向」と呼ぶ）するための増幅器が含まれる。また、上り方向の増幅器には、信号を通過・遮断するためのＧＳＷ（Ｇａｔｅ　ＳＷｉｃｈ）がさらに含まれる。図では幹線上に配された幹線ＧＳＷと分岐線上に配された分岐ＧＳＷが示されている。
【０００６】
中継増幅器は、ＣＡＴＶコンテンツ送信装置１０から送信される信号を、ＣＡＴＶ伝送路網１２＿ｍの幹線の終端方向、つまり下り方法へ伝達すると共に、幹線から分岐する分岐線を接続することができる。図１１においては、１つの幹線から４つの分岐線が出ている例が示されている。つまり、中継増幅器１と中継増幅器１０の間に幹線ＬＭが敷設され、中継増幅器１および中継増幅器１０からは分岐線ＬＢ１およびＬＢ２が２本ずつ出ており、中継増幅器１０からは分岐線ＬＢ３およびＬＢ４が出ている。なお、本例においては中継増幅１０の先端が幹線ＬＭの終端であり、幹線終端Ｔｌｍと呼称する。なお、ここでは、分岐線ＬＢ１などを２本ずつの分岐線として記したが、その数に限定されるものではない点については言うまでもない。
【０００７】
分岐線ＬＢ１の終端部には、それぞれ中継増幅器２と中継増幅器５が接続されている。中継増幅器２からさらに分岐線ＬＢ１１が出ており、その終端部にはそれぞれ中継増幅器６と中継増幅器７が接続されている。そして、中継増幅器６および中継増幅器７からはそれぞれ、分岐線ＬＢ１１１および分岐線ＬＢ１１２が出ている。同様に、中継増幅器５からは、端部に中継増幅器８と中継増幅器９が接続されている分岐線ＬＢ１２が出ている。そして、中継増幅器８および中継増幅器９からは、それぞれ、分岐線ＬＢ１２１および分岐線ＬＢ１２２が出ている。
【０００８】
そして、分岐線ＬＢ２の終端部には、それぞれ中継増幅器３と中継増幅器４が接続されている。そして、中継増幅器３からは分岐線ＬＢ２１が出ており、中継増幅器４からは、分岐線ＬＢ２２が出ている。
【０００９】
また、中継増幅器１０に関しても、中継増幅器１と同様に、分岐線ＬＢ３、中継増幅器１１、分岐線ＬＢ３１、中継増幅器１５、分岐線ＬＢ３１１、中継増幅器１６、分岐線ＬＢ３１２、中継増幅器１４、分岐線ＬＢ３２、中継増幅器１７、分岐線ＬＢ３２１、中継増幅器１８、分岐線ＬＢ３２２、分岐線ＬＢ４、中継増幅器１２、分岐線ＬＢ４１、中継増幅器１３および分岐線ＬＢ４２が接続されている。なお、それぞれの分岐線は、分岐線の終端方向へ信号を伝送し、さらに分岐線を設置することができる。また、中継増幅器の数には、特に制限はない。
【００１０】
図１２に、末端の伝送路の状態の一例を示す。なお、図１１に示した第ｍのＣＡＴＶ伝送路網１２＿ｍの中継増幅器１８を例として挙げる。同図において、Ｕ１〜Ｕ５はそれぞれ、ＣＡＴＶ放送の利用者宅を表している。なお、利用者宅Ｕ１は、マンション（コンドミニアム）などの集合住宅であり、利用者宅Ｕ２〜Ｕ５は、それぞれ独立した家屋である。なお、利用者宅Ｕ５に例示するように、利用者宅には、ＣＡＴＶ端末器ＨＴとＴＶ等のモニタが設置されている。
中継増幅器１８から出ている分岐線ＬＢ３２２には、通常４から５個の分岐器／分配器ＢＤ１〜ＢＤ５が設置され、分岐器／分配器ＢＤのそれぞれには、２から８本のケーブルが接続される。そして、分岐器／分配器ＢＤ２から出ている個々のケーブルは利用者各戸Ｕ１〜Ｕ５に設置されるＣＡＴＶ端末器ＨＴに接続され、テレビジョン等をモニタＤＭとしてコンテンツが配信される。このケーブルは１つの家を単位とするだけでなく、マンション（コンドミニアム）などの集合住宅Ｕ１へ接続される場合もある。
【００１１】
このように、ＣＡＴＶ放送システムＣｓｙｓは、局側に設置されたＣＡＴＶコンテンツ送信装置１０からのコンテンツを利用者宅Ｕへ送信することを主たるサービスとしているが、それだけではなく、利用者宅から局側への送信（上述の「上り方向」に対応）を受けるサービスも行われている。
【００１２】
図１３は、ＣＡＴＶ放送システムＣｓｙｓで利用するケーブルの周波数利用帯域の概略を示す。局から利用者へ送信するコンテンツは７０ＭＨｚから７７０ＭＨｚの帯域で下り方向に伝送され、１０ＭＨｚから５５ＭＨｚまでの帯域は利用者から局側へのいわゆる上り方向のために利用されている。前者を下り方向帯域ＢＳｄと呼び、後者を上り方向帯域ＢＳｕと呼ぶ。さらに、下り方向帯域ＢＳｄを利用した下り方向への通信を「下り回線」と呼び、上り方向帯域ＢＳｕを利用した上り方向への通信を「上り回線」と呼ぶ。
【００１３】
ところで、近年の家電製品の電子化に伴って、上り方向の通信（上り回線）に使用する５５ＭＨｚまでの帯域に、さまざまな家庭内雑音の混入が生じる。つまり、上り方向（上り回線）は、下り方向（下り回線）よりも雑音は混入しやすい環境にある。従ってＣＡＴＶ伝送路網上の中継増幅器に上り帯域の幹線ＧＳＷと分岐ＧＳＷを内臓して、上り帯域通過と遮断を制御することで終端方向からの雑音の上り回線への混入を制御できる。幹線ＧＳＷと分岐ＧＳＷの両者を総称してＧＳＷと呼ぶ。
【００１４】
すべてのＧＳＷには固有の番号もしくはアドレスが付けられており、外部からの指令によって、信号の上り帯域の通過・遮断を個別に手動で制御することができる。なお本明細書においては、図１１を参照して説明した１〜１８間での、中継増幅器の個々を識別するための標識を便宜上、ＧＳＷのアドレスとする。つまり、ＧＳＷ１〜ＧＳＷ１８が１８個のＧＳＷそれぞれのアドレスである。
【００１５】
図１０に示すように、ＣＡＴＶ放送システムＣｓｙｓは上述の構成の他に、上り信号受信装置１３、雑音検知装置１４、およびＧＳＷ切替装置１５を含む。上り信号受信装置１３は利用者から局へ向けた信号を受信する装置である。この装置は利用者宅に設置されたＣＡＴＶ端末器ＨＴからの信号を受けたり、局の外側にあるインターネット網１６への接続サービスを利用者に提供する。
【００１６】
ＣＡＴＶ放送システムＣｓｙｓの上り回線の通信においては、多数のＧＳＷを経て、最後に１つの上り信号受信装置１３が全利用者からの信号を受ける。そのため、上り信号受信装置１３を設置している局側から見ると、どこか１箇所のＧＳＷからの雑音の混入によって、ＣＡＴＶ放送システムＣｓｙｓの上り回線の全体に雑音が重畳することになる。これは流合雑音と呼ばれ、ＣＡＴＶ放送システムＣｓｙｓのすべての上り回線によるサービスの低下を招く。
【００１７】
システム管理者は、この流合雑音の状態を常に把握しておく必要がある。そこで、ＣＡＴＶ放送システムＣｓｙｓには、雑音検知装置１４とＧＳＷ切替装置１５が用意されている。雑音検知装置１４は、上り回線で利用する帯域中に流合してくるすべての雑音および信号を検知するが、雑音と信号の区分けは判断できない。
【００１８】
上述の如く、ＧＳＷはそれぞれ固有のアドレスを有しており、外部からの命令によって、上り帯域の通過・遮断を切り替えることができる。特に幹線ＧＳＷは幹線だけの上り帯域の通過・遮断と分岐ＧＳＷは分岐線だけの上り帯域の通過・遮断を独立して手動で行うことができる。ＧＳＷ切替装置１５は、ＣＡＴＶ伝送路網（１２＿ｍ）上のＧＳＷの１つ１つを指定して、上り帯域の通過もしくは遮断命令を送信することができる。
【００１９】
よって、システム管理者は、雑音検知装置１４で流合雑音の発生を検知した場合に、雑音の状態を見ながら、ＧＳＷ切替装置１５でＣＡＴＶ伝送路網上のＧＳＷを順番に手動で上り帯域の通過もしくは遮断の状態にしつつ、ＣＡＴＶ伝送路網１２＿ｍ上のどのＧＳＷから流合雑音が混入しているかを特定して、雑音の混入を防止することになる。
【００２０】
【発明が解決しようとする課題】
しかしながら、１つのＣＡＴＶ伝送路網上にあるＧＳＷの数は数百個以上にもなる。つまり、複数のＣＡＴＶ伝送路網を有する全システムでは数千個のＧＳＷが存在する。これらのＧＳＷを１つ１つ手動で切替えながら、雑音の混入元となるＧＳＷを特定するのは大変な時間がかかる。そのために、混入元のＧＳＷを特定する前に、雑音が無くなり混入元の発見が困難である。それに、加えて時々発生する雑音については、待機しておいて、短時間に混入元の発見をする必要がある。また、記録間違い、重複調査、もしくは調査し忘れ等の人為的なミスもあり流合雑音混入元の発見に至る作業は、困難を極めるものであった。
よって、本発明は、数千個にも及ぶ多数のＧＳＷを自動的に切替えながら、雑音の混入元となるＧＳＷを特定するＣＡＴＶ施設における上り流合雑音検知システムを提供することを目的とする。
【００２１】
【課題を解決するための手段】
本発明は上記課題を解決するため、ＣＡＴＶ放送システムに、上り信号受信装置１３側での雑音を定量的に計測し、流合雑音の有無を判断する手段と、ＣＡＴＶ伝送路網上のＧＳＷを自動的且つ短時間に上り帯域の通過・遮断する手段と、遮断したときに雑音が無くなるＧＳＷだけを表示する手段を組み込むことで、数千個から成るＧＳＷの中から、流合雑音の混入元を検知し表示することができるようにしたものである。
【００２２】
【発明の実施の形態】
図１に、本発明の流合雑音検知システムを組み込んだＣＡＴＶ放送システムＰｓｙｓの構成を示す。なお、ＣＡＴＶ放送システムＰｓｙｓは、図１０に示した従来のＣＡＴＶ放送システムＣｓｙｓにおいて、伝送路網接続器１１および雑音検知装置１４を、それぞれ、本発明にかかる伝送路網切替器１１ｒおよび流合雑音検知システムＲＮＴに置き換えたものである。上述のように、伝送路網接続器１１は、通常ＣＡＴＶコンテンツ送信装置１０からのコンテンツ信号をＣＡＴＶ伝送路網群１２を構成するすべてのＣＡＴＶ伝送路網１２＿１〜１２＿ｎを接続することはできるが、ｎ個のＣＡＴＶ伝送路網１２＿１〜１２＿ｎのいずれかを特定して、それの上り帯域を通過あるいは遮断するように制御することはできない。これに反して、伝送路網切替器１１ｒは、ｎ個のＣＡＴＶ伝送路網１２＿１〜１２＿ｎのいずれかを特定して、それの上り帯域を通過あるいは遮断する、その接続を切り替えるように制御できる。よって、特に必要のない限り、ＣＡＴＶ放送システムＣｓｙｓと共通の構成、動作、および特徴についての説明は省く。
【００２３】
ＣＡＴＶ放送システムＰｓｙｓにおいても、ＣＡＴＶ放送システムＣｓｙｓと同様に、上り信号受信装置１３が利用者からの送信信号に対するサービスを受ける。また、ＣＡＴＶ伝送路網群１２を構成する中継増幅器のＧＳＷが、遠隔操作で上り帯域の通過・遮断が制御されるのも同様である。流合雑音検知システムＲＮＴは、制御装置１１０、記憶装置１２２、および表示装置１２０を含む。
【００２４】
制御装置１１０は、上り信号受信装置１３の入力端からの信号を受け、雑音の有無の判断および、ＣＡＴＶ伝送路網とＧＳＷの上り帯域の通過・遮断を制御し、流合雑音の混入元であるＧＳＷを検知するとともに、それらの結果を表示し、システム管理者に通知する機能を有する。そのため、制御装置１１０は、さらに、信号状態検知部１１２と、流合雑音判断部１１４と、上り帯域通過遮断制御部１１６、および表示制御部１１８を含む。記憶装置１２２は、各ＣＡＴＶ伝送路網上のＧＳＷの連結状態を記録してあるＧＳＷリスト１２６および調査結果を記録しておく調査結果リスト１２４を含むものである。
【００２５】
制御装置１１０において、信号状態検知部１１２は、上り信号受信装置１３の入力端の信号を周波数軸で観測することができ、特定の周波数における信号もしくは雑音のエネルギー状態を測定できる。例えばスペクトルアナライザーや、ＦＦＴ（Ｆａｓｔ　Ｆｕｒｉｅ　Ｔｒａｓｄｕｃｅｒ）アナライザー等が利用できる。流合雑音判断部１１４は、流合雑音が混入しない状態でのシステム雑音の状態に対してある閾値を設定し、その閾値を超える雑音があった場合に流合雑音有り、また閾値を超える雑音がない場合には流合雑音無しと判断する。
【００２６】
上り帯域通過遮断制御部１１６は、伝送路網切替器１１ｒと第ｍのＣＡＴＶ伝送路網１２＿ｍ上のＧＳＷを個別に指定して、上り帯域の通過・遮断を切替制御することができる。表示制御部１１８は、表示装置を制御し、上り帯域通過遮断制御部１１６が上り帯域の通過・遮断の制御を行う毎に、流合雑音判断部１１４が流合雑音無しと判断したＧＳＷを表示する。また、ＣＡＴＶ伝送路網の最初の中継増幅器からの接続経緯を表示することで、流合雑音の混入元を容易に認識できるようにするものである。
【００２７】
次に、流合雑音検知システムＲＮＴの動作について簡単に説明する。流合雑音検知システムＲＮＴは起動すると初めに、制御装置１１０内の流合雑音判断部１１４の初期設定を行う。次に、すべてのＧＳＷを遮断状態にした場合の信号状態を記録する。このときは、どのＧＳＷからも上り信号が入力されないため、流合雑音は全くない状態であり、流合雑音検知の初期値とする。少なくとも上り回線として利用する帯域について調べておく。
【００２８】
次に雑音検知に対する閾値を設定する。閾値はこの値を越えた雑音を検知した場合は雑音有りと判断するための基準となるものである。初期設定した時点のシステム雑音には、ＣＡＴＶ放送システムＰｓｙｓが固有に有する雑音帯域がある場合もあり、上り回線として利用する帯域すべてについてフラットな雑音の初期値が得られるわけではない。また、多くのＣＡＴＶ伝送路網１２＿ｍは接続しただけで、一定の雑音を有するため、閾値の設定は、雑音初期値に対してある程度のマージンを持って、周波数毎の設定をするのが望ましい。
【００２９】
さらに、上り信号として利用される帯域には、運用に使用される信号（以下、「運用信号」と称す）が発生するために、利用者からの上り信号がある場合は、当然この閾値よりも高いエネルギー状態が発生する。この運用信号には、利用者からの正しい情報が重畳されているので、このような場合も雑音有りと判断するのは適切でない。従って、予め運用信号が発生する帯域は、閾値を設定しないようにすれば、なお望ましい。
【００３０】
図２に、信号状態検知部１１２からの出力に対する流合雑音判断部１１４の閾値の設定値の関係を示す。なお、同図において、縦軸はエネルギー強度を表し、横軸は周波数を表す。測定帯域幅ＢＷｍは、少なくとも上り回線の帯域をカバーする範囲に設定される。初期システム雑音ＮＳｉはすべてのＧＳＷを遮断状態にした場合の雑音状態である。閾値ＴＨはこの初期システム雑音ＮＳｉに対して、マージンを見込んだマージン設定量が設定される。なお、図２においては、ある周波数におけるノイズの値が常に変化するため、初期システム雑音ＮＳｉを幅をもたせて示している。
【００３１】
このとき、初期システム雑音ＮＳｉは測定帯域幅全域に渡ってフラットな特性を有している事は少なく、雑音が高いところと低いところができる。そこで、マージン設定帯域と呼ぶ。初期システム雑音ＮＳｉは、一定の帯域毎に雑音の平均値を求め、その帯域での閾値はその平均値に一定のマージンを加えたものとする。
【００３２】
従って、閾値ＴＨは、測定帯域幅ＢＷｍに渡って一定値ではなく、閾値段差ＴＨｓを有する形状になる。このようにすることで、初期システム雑音ＮＳｉの非平坦性をカバーしながら、流合雑音の有無の評価を測定帯域幅ＢＷｍに渡って均一に行える。
【００３３】
符号Ｍｇ１、Ｍｇ２、およびＭｇ３はそれぞれ閾値ＴＨの設定の際に加えられたマージンの例を示す。そして、符号、Ｂｍｇ１、Ｂｍｇ２、およびＢｍｇ３はそれぞれのマージン設定帯域を示す。マージン設定量およびマージン設定帯域は、システム管理者が自由に設定できる。
【００３４】
運用信号ＳＣｒは、図２においては１つだけ例示したが、実際には上り回線の設計によって複数個存在してもかまわない。この運用信号Ｓｃｒの近傍の帯域は、上り信号が存在するときは高いエネルギー状態を示すので、これを流合雑音と判断するのは、適切でない。従って、閾値ＴＨには運用信号ＳＣｒの近傍に非判断領域Ｒｎｅを設定し、この帯域については、流合雑音の判断を行わないようにする。
【００３５】
実際に測定される雑音は測定時雑音Ｎｍで示すようになる。この測定時雑音Ｎｍは、マージン設定帯域Ｂｍｇ３にピークＰを有する。このピークＰは、閾値ＴＨを超えているので、流合雑音有りと判断される。測定時雑音Ｎｍは、初期システム雑音ＮＳｉよりも高い状態になるが、上記のように設定した閾値ＴＨを超える部分が測定帯域幅ＢＷｍ中に１箇所でもあれば、流合雑音有りと判断する。なお、測定時雑音Ｎｍは、上記初期システム雑音ＮＳｉと同様に幅をもたせた記載とした。
【００３６】
図１に戻って、流合雑音検知システムＲＮＴの動作の説明を続ける。雑音検知の開始は、システム管理者の始動命令によって開始してもよいし、制御装置１１０内の流合雑音判断部１１４が雑音を検知したときに開始するようにしてもよい。流合雑音判断部１１４が雑音を検知したときとは、図２に示したように、測定時雑音Ｎｍが閾値ＴＨを超え、流合雑音を検知したときである。
【００３７】
雑音検知を開始した制御装置１１０は、伝送路網切替器１１ｒを制御し、上り信号受信装置１３に接続された（すなわち、信号状態検知部１１２にも接続されている）ＣＡＴＶ伝送路網１２＿ｍを順に遮断・上り帯域の通過を繰り返し、流合雑音の有無を判断する。具体的には、１番目のＣＡＴＶ伝送路網を遮断し、流合雑音の有無を判断する。そして、もしくは、１番目のＣＡＴＶ伝送路網の遮断によって流合雑音が無くなったと判断した場合は、流合雑音の発生源が１番目のＣＡＴＶ伝送路網１２＿１（ｍ＝１）にあると判断して、表示装置に表示し、１番目のＣＡＴＶ伝送路網の雑音調査に移る。もしくは、１番目のＣＡＴＶ伝送路網の遮断によっても雑音が無くならない場合は、１番目のＣＡＴＶ伝送路網を接続状態に戻し、第２番目のＣＡＴＶ伝送路網１２＿２（ｍ＝２）を遮断し、同様の動作を繰り返す。
【００３８】
図３に示すフローチャートを参照して、上述の流合雑音検出動作について詳細に説明する。ＣＡＴＶ放送システムＰｓｙｓにおいて、流合雑音の発生が検出されて、流合雑音検知システムＲＮＴの雑音検出動作が開始すると、先ず、
ステップＳ３１０において、測定時雑音Ｎｍの測定が開始される。そして、制御は次のステップＳ３１２に進む。
【００３９】
ステップＳ３１２において、変数ｊの初期値の設定が行われる。この変数ｊはＣＡＴＶ放送システムＰｓｙｓに接続されているＣＡＴＶ伝送路網１２＿ｍの数をカウントするためのものである。図１に示される場合では、ｎ個のＣＡＴＶ伝送路網１２＿１〜１２＿ｎが接続されているので、ｊはｎまでカウントされる。そして制御は次のステップＳ３１４に進む。
【００４０】
ステップＳ３１４において、上り帯域通過遮断制御部１１６が伝送路網切替器１１ｒを制御して、ｊ番目のＣＡＴＶ伝送路網を遮断する。そして、制御は次のステップＳ３１６に進む。
【００４１】
ステップＳ３１６において、流合雑音判断部１１４によって、信号状態検知部１１２から出力される測定時雑音Ｎｍを予め設定しておいた閾値ＴＨと比較されて、測定帯域幅ＢＷｍ内での流合雑音の有無が判断される。流合雑音が有ると判断される場合、制御は次のステップＳ３１８に進む。
【００４２】
ステップＳ３１８においては、このＣＡＴＶ伝送路網１２＿ｊが流合雑音に関わっているものと見なされ、このときの変数ｊの値が表示装置１２０に表示されると共に、変数Ｄｎｎにセットされる。なお、変数Ｄｎｎは後に、すべてのＧＳＷを調査する対象となるＣＡＴＶ伝送路網の識別子である１２＿ｊを示す。そして、制御は次のステップＳ３２０に進む。
【００４３】
一方、ステップＳ３１６において、流合雑音がないと判断された場合は、このＣＡＴＶ伝送路網１２＿ｊは流合雑音の発生に関わってないものと見なされる。そして、制御は上述のステップＳ３１８をスキップして、ステップＳ３２０に進む。
【００４４】
ステップＳ３２０において、流合雑音有無の判定の結果は、判定対象となったＣＡＴＶ伝送路網１２＿ｊの識別子（Ｄｎｎ）共に、記憶装置１２２の中に保持される調査結果リスト１２４に記録される。そして、制御は次のステップＳ３２２に進む。
【００４５】
ステップＳ３２２において、遮断したＣＡＴＶ伝送路網１２＿ｊが上り帯域の通過状態に戻される。そして、制御は次のステップＳ３２４に進む。
Ｓ３２４において、ｊ＝ｎか否かが判断される。ｊ＝ｎは、現在流合雑音の検出対象となっているＣＡＴＶ伝送路網１２＿ｊが第ｎのＣＡＴＶ伝送路網１２＿ｎである、つまりＣＡＴＶ伝送路網群１２における最後のＣＡＴＶ伝送路網であることを示している。よって、ｊ＝ｎでない場合にはＣＡＴＶ伝送路網群１２には未だ流合雑音の有無が判断されていないＣＡＴＶ伝送路網１２＿ｊがあるので、制御はステップＳ３２６に進む。
【００４６】
ステップＳ３２６において、変数ｊが１だけインクリメントされる。そして、制御は上述のステップＳ３１４に戻る。そして、上述のステップＳ３１６〜Ｓ３２２の処理を経て、ステップＳ３２４において、ｊ＝ｎであると判断された時点で初めて、制御はステップＳ３２８に進む。
【００４７】
ステップＳ３２８において、ステップＳ３１６において流合雑音に関わっていると判断され、ステップＳ３１８で検出された識別子（Ｄｎｎ）を有するＣＡＴＶ伝送路網１２＿ｊを構成するＧＳＷの全数調査を行うサブルーチンが実行される。そしてこれが終了すると検知システム全体が終了する。なお、ステップＳ３２８のサブルーチンにおける処理については、後ほど図５を参照して、詳しく説明する。
【００４８】
再度、図１に戻って、流合雑音検知システムＲＮＴの動作について引き続き説明する。雑音発生の原因であるＣＡＴＶ伝送路網１２＿ｊが特定されたら、図３におけるステップＳ３２８のＣＡＴＶ伝送路網の雑音調査サブルーチンが実行される。制御装置１１０は、伝送路網切替器１１ｒを制御して遮断した、流合雑音の発生源と判断されるＣＡＴＶ伝送路網１２＿ｊを通過状態にする。
次に上り帯域通過遮断制御部１１６が、ＣＡＴＶ伝送路網上のＧＳＷの連結状態を示すＧＳＷリスト１２６に従って、順次に上り帯域の通過・遮断を繰り返しながら、流合雑音判断部１１４が流合雑音の有無を調べる。
【００４９】
図４に、ＧＳＷリスト１２６の一例を示す。これは図１０に示した第ｍのＣＡＴＶ伝送路網１２＿ｍに対応する。個々のＧＳＷにはそれぞれ少なくともそのＣＡＴＶ伝送路網上ではユニークになるような番号（これはアドレスでもかまわない）が付されており、幹線ＧＳＷになっているか否かと、連結されている分岐ＧＳＷの番号が記録されている。このようなりストはすべてのＣＡＴＶ伝送路網１２＿ｊに対して用意される。
【００５０】
このリスト中で、「Ｎ」はＮｕｌｌの略であり、このＧＳＷに接続されるＧＳＷはないことを表している。また、Ｔｅｒｍｉｎａｔｅは、幹線の終端を示す。例えば、１番の中継増幅器は幹線ＧＳＷがあるため、自身も幹線ＧＳＷであることがわかり、その接続される中継増幅器が１０番で幹線ＧＳＷであることを示している。さらに、１番の中継増幅器は、分岐線の接続があり、それぞれの中継増幅器番号が２、３、４、５である。
このＧＳＷリスト１２６には、該当するＣＡＴＶ伝送路網の中継増幅器がすべて記録されているので、このリストに従って逐次すべてのＧＳＷを調べることができる。
【００５１】
図１に戻って、流合雑音検知システムＲＮＴの説明を続ける。ＣＡＴＶ伝送路網上の中継増幅器のＧＳＷ連結状態を示すＧＳＷリスト１２６に従って、上述の如く流合雑音を有するＣＡＴＶ伝送路網１２＿ｊを特定したのと基本的に同様の方法にて、個々のＧＳＷの上り帯域の通過・遮断を繰り返しながら雑音の有無を調べる。
【００５２】
具体的には、上り帯域通過遮断制御部１１６によって１台目の中継増幅器のＧＳＷを遮断し、信号状態検知部１１２の出力を流合雑音判断部１１４で流合雑音の有無を判断する。流合雑音判断部１１４によって流合雑音がないと判断された場合は、その中継増幅器が流合雑音の発生に関連していると見なされるので、表示制御部１１８に中継増幅器の番号と、ＧＳＷの設置場所（幹線、分岐）および流合雑音が無くなったという信号を送る。表示制御部１１８は、受け取った信号を表示装置１２０に表示させる。その後、上り帯域通過遮断制御部１１６は、ＧＳＷを通過状態へ戻し、次に２代目の中継増幅器のＧＳＷを遮断し、同様の動作を繰り返す。
【００５３】
図５に示すフローチャートを参照して、上述のＣＡＴＶ伝送路網１２＿ｊを構成するＧＳＷの全数調査を行うサブルーチンの詳細について説明する。上述のステップＳ３２４でＹｅｓ、つまり流合雑音を有するＣＡＴＶ伝送路網１２＿ｊを特定した時点で、本サブルーチンの処理が開始される。
先ず、ステップＳ５１２において、変数ｋが初期値設定される。変数ｋは、これから調査するＣＡＴＶ伝送路網１２＿ｊ上のＧＳＷの数をカウントするために用いられる。よって、本ステップにおいては、ｋ＝１にセットされる。そして、制御は次のステップＳ５１３に進む。
【００５４】
ステップＳ５１３において、ｋ番目のＧＳＷが分岐ＧＳＷか否かが判断される。分岐ＧＳＷである場合は、Ｙｅｓと判断されて制御は、次のステップＳ５１４に進む。
【００５５】
ステップＳ５１４において、分岐ＧＳＷであるｋ番目のＧＳＷを遮断することによって、分岐線が遮断される。そして、制御は次のステップＳ５１６に進む。
【００５６】
ステップＳ５１６において、上述のステップＳ３１６におけるのと同様に、流合雑音の有無が判断される。Ｙｅｓ、つまり流合雑音が有りと判断される場合、処理は次のステップＳ５１８に進む。
【００５７】
ステップＳ５１８において、中継増幅器の番号とそれが分岐線の遮断であったことを表示装置１２０に表示させる。そして、制御は次のステップＳ５２０に進む。
【００５８】
一方、ステップＳ５１６においてＮｏ、つまり流合雑音無しと判断される場合、制御は上述のステップＳ５１８をスキップして、ステップＳ５２０に進む。
【００５９】
ステップＳ５２０において、ステップＳ５２４での判断結果が調査結果リスト１２４に記録される。そして、制御は次のステップＳ５２２に進む。
【００６０】
ステップＳ５２２において、ステップＳ５１４において遮断された分岐線が上り帯域の通過状態に戻される。そして制御は次のステップＳ５２４に進む。
【００６１】
ステップＳ５２４において、ｋ番目のＧＳＷは幹線ＧＳＷであるか否かが判断される。これは、図４のＧＳＷリスト１２６を参照することで調べることができる。そしてＹｅｓ、つまり幹線ＧＳＷである場合、制御は次のステップＳ５２６に進む。
【００６２】
ステップＳ５２６において、幹線ＧＳＷであるｋ番目のＧＳＷを遮断することによって、幹線が遮断される。そして、制御は次のステップＳ５２８に進む。
【００６３】
ステップＳ５２８において、流合雑音の有無の判断される。流合雑音有りの場合、制御は次のステップＳ５３０に進む。
【００６４】
ステップＳ５３０において、上述ステップＳ５１８におけるのと同様に、中継増幅器の番号とそれが幹線の遮断であったことを表示装置１２０に表示させる。そして、制御は次のステップＳ５３２に進む。、
【００６５】
一方、ステップＳ５２８において、流合雑音無しと判断される場合、制御は上述のステップＳ５３０をスキップして、ステップＳ５３２に進む。
【００６６】
ステップＳ５３２において、上述ステップＳ５２０におけるのと同様に、ステップＳ５２８における判断結果が調査結果リスト１２４に記録される。そして、制御は次のステップＳ５３４に進む。
【００６７】
ステップＳ５３４において、幹線ＧＳＷであるｋ番目のＧＳＷを通過にすることによって、幹線が通過されて、上り帯域が通過状態への復帰される。そして、制御は次のステップＳ５３６に進む。
【００６８】
一方、上述のステップＳ５２４において、ｋ番目のＧＳＷが幹線ＧＳＷでないと判断される場合、制御は上述のステップＳ５２６〜Ｓ５３４をスキップして、ステップＳ５３６に進む。
【００６９】
ステップＳ５３６において、ｋ番目のＧＳＷがＣＡＴＶ伝送路網１２＿ｋに含まれる最後のＧＳＷであるか否かが判断される。最後でない場合、制御はステップＳ５３８に進む。
【００７０】
ステップＳ５３８において、変数ｋが１だけインクリメントされて、制御は上述のステップＳ５１２に戻る。そして、ステップＳ５１３〜ステップＳ５３４における処理を繰り返して、ステップＳ５３６においてＹｅｓと判断された時点で、本サブルーチンにおける処理を終了する。
【００７１】
以上の如く説明した動作によって、表示装置１２０には、遮断したときに流合雑音が無くなるＣＡＴＶ伝送路網１２＿ｊの識別子ｊと、中継増幅器の識別子ｋとＧＳＷ設置場所（幹線、分岐）が表示されるので、流合雑音混入の原因となる末端のＧＳＷから上り信号受信装置１３までに至る経路を特定することができる。また、すべての調査結果は調査結果リスト１２４に記録されているため、調査結果の見直しも確実にできる。
【００７２】
図６に、図１２に示した第ｍのＣＡＴＶ伝送路網１２＿ｍにおける１８番のＧＳＷが流合雑音の混入元であった場合に、表示装置１２０の表示例を示す。また、図７に、このときの調査結果リスト１２４に記録されている内容例を示す。
【００７３】
なお、本実施の形態において、制御装置１１０の中に設置した信号状態検知部１１２、流合雑音判断部１１４、上り帯域通過遮断制御部、および表示制御部１１８は、それぞれ別々の装置として、もしくはこれらのうちのいくつかを組み合わせた装置として構成し、通信手段によって結合させることで、本願発明と同様の機能および作用を実現することもできる。
【００７４】
また、図５のフローチャートで示された動作では、ＣＡＴＶ伝送路網を構成するすべてのＧＳＷに対して全数調査を行うが、流合雑音無しと判断したＧＳＷからＧＳＷリスト１２６を用いて、分岐線をたどりながら、混入元となるＧＳＷを特定してもかまわない。
【００７５】
次に、図８を参照して、図６に示した結果の表示をＣＡＴＶ伝送路網上の上り流合雑音の経路を表示する点について説明する。　図６に例示するように、流合雑音に関わる中継増幅器のＧＳＷ設置場所（幹線、分岐）だけを表示しても、数千個のＧＳＷの中からなる流合雑音に関わるＧＳＷを表示しているので十分に有効である。しかし、ＣＡＴＶ伝送路網１２＿ｍの中で、流合雑音の経路が表示できれば、システム管理者は、流合雑音の混入元をより感覚的に把握しやすいという効果が得られる。
【００７６】
この調査結果の経路表示は、図７に例示した調査結果リスト１２４に基づいて表示することができる。図９に示すフローチャートを参照して、その動作について簡単に説明する。システム管理者等の指示により、経路表示のサブルーチンをスタートさせると、ステップＳ９１２において、図７に示した調査結果リスト１２４が１行読み込まれる。
【００７７】
そして、ステップＳ９１４において、調査結果リスト１２４の読み込みが全部終了したか否かが判断される。当初は当然、読み込みは終了していないので、ステップＳ９１６において流合雑音有りと判断されたか否かが調べられる。これは、ステップＳ９１２において読み込んだ調査結果リスト１２４を調べることで容易にわかる。
【００７８】
ステップＳ９１６において、流合雑音有りと判断されたら、ステップＳ９２４において、ＧＳＷ設置場所で幹線か分岐かが判断される。幹線である場合は、ステップＳ９２６において、最後に表示した部分から直線を引き、中継増幅器を表す三角マークとその中に中継増幅器の番号を表示する。これは、図８の８１２の部分に相当する。
【００７９】
幹線でない場合は、ステップＳ９２８において、最後に表示した部分から、Ｌ字の折れ線を表示し、その後に中継増幅器を表す三角マークとその中に中継増幅器の番号を表示する。これは、図８の８１４の部分に相当する。なお、読み込みが終了した場合は、ステップＳ９１４でＹｅｓと判断されて、ステップＳ９３０で調査結果リスト１２４に基づいて、図８に例示する経路表示が実現される。
【００８０】
なお、図９に示したフローチャートに基づけば、中継増幅器の分岐線は、必ずＬ字線によって表示されるが、ＧＳＷリスト１２６に記録されている内容によっては表示画面上で上側もしくは下側への表示を区別してもかまわない。具体的には、図１１に示す例において分岐線ゲート１８を混入元とした場合は、図８に示すように、中継増幅器１０より画面の下側に表示するようにしたが、中継増幅器１５が流合雑音混入元と判断した場合は、中継増幅器１０よりも上側に表示するということである。
【００８１】
【発明の効果】
流合雑音検知システムＲＮＴによって、ＣＡＴＶ放送システムＰｓｙｓを構成する数千にのぼるＧＳＷのいずれかから混入してくる流合雑音元を自動的に検知することができるので、ＣＡＴＶ放送システムＰｓｙｓの上り方向のサービス低下を速やかに発見、修復に向かえるという効果を奏する。
【図面の簡単な説明】
【図１】本発明にかかる流合雑音検知システムを組み込んだＣＡＴＶ放送システムの全体構成を示す図である。
【図２】図１に示す流合雑音判断部で設定されるパラメータと、ＣＡＴＶ放送システムにおける雑音の関係を示す図である。
【図３】図１に示す流合雑音検知システムによる流合雑音検知処理の全体を表すフローチャートである。
【図４】図１に示すＧＳＷリスト１２６の一例を示す図である。
【図５】図３に示すＤｎｎ番目のＣＡＴＶ伝送路網の調査サブルーチンにおける動作の詳細を示すフローチャートである。
【図６】図１に示す表示装置における表示例を示す図である。
【図７】図１に示す調査結果リストの内容例を示す図である。
【図８】調査結果の経路表示例を示す図である。
【図９】図９に示した調査結果の経路表示を描く動作を示すフローチャートである。
【図１０】従来のＣＡＴＶ放送システムの構成を示す図である。
【図１１】図１０に示したＣＡＴＶ伝送路網の構成を示す図である。
【図１２】ＣＡＴＶ放送システムにおける末端の伝送路の状態を示す図である。
【図１３】上り回線の周波数利用状態（Ｆｒｅｑｕｅｎｃｙ　Ａｌｌｏｃａｔｉｏｎ）を示す図である。
【符号の説明】
Ｐｓｙｓ、Ｃｓｙｓ　ＣＡＴＶ放送システム
１０　ＣＡＴＶコンテンツ送信装置
１１　伝送路網接続器
１１ｒ　伝送路網切替器
１２　ＣＡＴＶ伝送路網群
１２＿１、１２＿２、１２＿ｍ、１２＿ｎ　ＣＡＴＶ伝送路網１
１３　上り信号受信装置
１４　雑音検知装置
１５　ＧＳＷ切替装置
１６　インターネット網
ＲＮＴ　流合雑音検知システム
１１０　制御装置
１１２　信号状態検知部
１１４　流合雑音判断部
１１６　上り帯域通過遮断制御部
１１８　表示制御部
１２０　表示装置
１２２　記憶装置
１２４　調査結果リスト
１２６　ＧＳＷリスト
ＨＴ　ＣＡＴＶ端末器
ＤＭ　モニタ
Ｕ１、Ｕ２、Ｕ３、Ｕ４、Ｕ５　利用者宅
ＢＤ１、ＢＤ２、ＢＤ３、ＢＤ４、ＢＤ５　分岐器／分配器
【図１】
2004072477.tif 000003
【図２】
2004072477.tif 000004
【図３】
2004072477.tif 000005
【図４】
2004072477.tif 000006
【図５】
2004072477.tif 000007
【図６】
2004072477.tif 000008
【図７】
2004072477.tif 000009
【図８】
2004072477.tif 000010
【図９】
2004072477.tif 000011
【図１０】
2004072477.tif 000012
【図１１】
2004072477.tif 000013
【図１２】
2004072477.tif 000014
【図１３】
2004072477.tif 000015